(57)【特許請求の範囲】
【請求項１】
左右に分けて形成された前身頃の前端部に、ボタンホールとボタンを、左右又は右左に対向させて設ける上着で、かつ、左右の襟が、胸元にＶ字状部を形成するタイプの上着であって、前記ボタンホールの対向部位となる前身頃の前端部裏側に合掌留めボタンを取り付け、該合掌留めボタンを、前記ボタンホールの裏側から挿入して表側で係止する方法で、左右の前身頃の前端部同士を合掌状態に合わせて合掌留めし、前方に膨出した通気空間を形成するとともに、前記Ｖ字状部を前方に膨出させて通気口となし、前記通気空間と該通気口を、通気性を高めて連通するように図ったことを特徴とする上着内前方の通気性を良くする上着。
【請求項２】
上記合掌留めボタンを取り付けた部位の表側に、前後重ね留めボタンが取り付けてあり、該合掌留めボタンと該前後重ね留めボタンとが、対向部位に設けられたボタンホールを、合掌留め用と前後重ね留め用とに共用するように構成したことを特徴とする請求項１記載の上着内前方の通気性を良くする上着。
【請求項３】
左右の前身頃の前端部同士を合掌状態に合わせて合掌留めするために用いる、分離と合体が自在な合掌留め具を、左右の前身頃前端部の裏側に分離させた状態で、左右に対向させて取り付けたことを特徴とする請求項１記載の上着内前方の通気性を良くする上着。
【発明の詳細な説明】
【技術分野】
【０００１】  本発明は、上着内前方の通気性が良くなるようにする上着に関するものである。
【背景技術】
【０００２】  外気を流通可能にした脇下ベンチレーション部とベンチレーションポケット部を有する通気性作業用ウエア上着に関する先行技術として「通気性作業用ウエア」がある（例えば、特許文献１参照）。
また、前身頃の裏側に、ボタン穴の表側から嵌め込むための補助ボタンを設け、左前のボタン留めと右前のボタン留めを可能とし、男女が兼用できる上着を提案する先行技術として、「上着」がある（例えば、特許文献２参照）。
【特許文献１】  特開２０１１−１１７１２１号公報（請求項１〜４，図１〜１２）
【特許文献２】  実開平３−９６３０６号公報（請求項１，図１〜６）
【発明の開示】
【発明が解決しようとする課題】
【０００３】  本願発明は、上着内前方の通気性を良くする上着の提供を課題とし、前身頃の前端部裏側に取り付けた合掌留めボタンを、対向部位に設けたボタンホールの裏側から挿入して表側で係止する方法で、左右の前身頃の前端部同士を合掌状態に合わせて合掌留めして、前方に膨出した通気空間を形成する方法を用いて課題を解決しようとするものである。
【課題を解決するための手段】
【０００４】  上記課題を解決するため、本発明の上着内前方の通気性を良くする上着は、左右に分けて形成された前身頃の前端部に、ボタンホールとボタンを、左右又は右左に対向させて設ける上着で、かつ、左右の襟が、胸元にＶ字状部を形成するタイプの上着であって、前記ボタンホールの対向部位となる前身頃の前端部裏側に合掌留めボタンを取り付け、該合掌留めボタンを、前記ボタンホールの裏側から挿入して表側で係止する方法で、左右の前身頃の前端部同士を合掌状態に合わせて合掌留めし、前方に膨出した通気空間を形成するとともに、前記Ｖ字状部を前方に膨出させて通気口となし、前記通気空間と該通気口を、通気性を高めて連通するように図る。【０００５】  また、請求項２に記載する本発明の上着内前方の通気性を良くする上着は、請求項１記載の構成において、上記合掌留めボタンを取り付けた部位の表側に、前後重ね留めボタンが取り付けてあり、該合掌留めボタンと該前後重ね留めボタンとが、対向部位に設けられたボタンホールを、合掌留め用と前後重ね留め用とに共用するように構成したことを特徴とする。【０００６】  また、請求項３に記載する本発明の上着内前方の通気性を良くする上着は、請求項１記載の構成において、左右の前身頃の前端部同士を合掌状態に合わせて合掌留めするために用いる、分離と合体が自在な合掌留め具を、左右の前身頃前端部の裏側に分離させた状態で、左右に対向させて取り付けたことを特徴とする。
【発明の効果】
【０００７】  請求項１による上着は、前身頃の表側にボタンがない状態で、前身頃の前端部同士を合掌状態に合わせた着こなしができるとともに、ボタンを留めないラフな着こなしのときに起こりやすいボタンが何処かに引っかかり紛失するのを防止することができる。【０００８】  胸元のＶ字状部を前方に膨出させて通気口とすることで、通気空間の通気性を構造的に高めることができる。【０００９】  胸元にＶ字状部を形成するタイプの上着を採択し、合掌留めボタンを前身頃の前端部裏側に取り付ける方法と、該合掌留めボタンを、対向部位のボタンホールの裏側から挿入して表側で係止する方法を組み合わせた構成であるから構造・方法が簡易である。【００１０】  請求項２による発明では、既成のブレザーなどの前後重ね留めボタンの取り付け部位の裏側に、合掌留めボタンを取り付ける方法によっても構成できるので、既成のブレザーなどに付加価値を付与する方法として有用である。【００１１】  請求項３による発明では、既成のブレザーなどの、前身頃前端部の左右の裏側に、合掌留め具を付け足すことで、上着内前方の通気性を良くすることができる。
【発明を実施するための最良の形態】
【００１２】  本発明による、上着内前方の通気性を良くする上着の実施形態について以下に述べる。
左右に分けて形成された前身頃の前端部に、ボタンホールとボタンを、左右又は右左に対向させて設ける上着で、かつ、左右の襟が、胸元にＶ字状部を形成するタイプの上着としては、ブレザーや背広、スーツなどの上着がある。
上記の、ブレザーや背広、スーツなどの上着では、前身頃の前端部に、ボタンホールとボタンを左右に対向させて２対或いは３対を設けるのが一般的であるが、何対設けるかは任意である。
本発明では、上記のようなタイプの上着において、前身頃前端部同士を合掌状態に合わせて留める合掌留めをして、前方に膨出した通気空間を形成する方法で、上着内前方の通気性を良くすることを要旨とするものである。
請求項１では、上記のような上着の左右いずれかの前身頃前端部の裏側に合掌留めボタンを取り付けるが、前身頃前端部の表側のボタンは、必須の構成要素とはしない。
前身頃前端部の裏側に取り付けた合掌留めボタンを、対向部位に設けたボタンホールの裏側から挿入し表側で係止し、左右の前身頃前端部同士を合掌させる状態に合わせて合掌留めする。
上記により、前方に膨出した通気空間が形成され、同時に、胸元のＶ字状部が前方に膨出されて通気口となり、該通気口が前記の通気空間と連通することで、通気空間の通気性を構造的に高めることができる。【００１３】  従来では、左右の前身頃前端部同士を前後に重ねた状態で留める、前後重ね留めをしていたので、上着内前方の通気が阻害されて通気性が悪かった点が、本願により改善されることになる。【００１４】  請求項２の構成は、前身頃の前端部裏側に合掌留めボタンを取り付けた上着を用いて、その表側に前後重ね留めボタンを取り付ける方法によって構成する実施形態と、既成のブレザーなどを用いて、該ブレザーなどの前後重ね留めボタンの取り付け部位の裏側に合掌留めボタンを取り付ける方法によって構成する実施形態とがあり、任意に選択して実施することができる。
前身頃前端部の表側に取り付けた前後重ね留めボタンは、従来とおり、対向部位に設けられたボタンホールの裏側から挿入して表側で係止して、前身頃前端部同士を前後に重ねた状態で前後重ね留めすることで、左右の前身頃前端部同士を前後に重ねる着こなしとなり、合掌留めした着こなしと二通りの着こなしができるようになる。
また、合掌留めボタンと前後重ね留めボタンとは、形状、大きさ、模様などを変えて取り付ける実施形態も任意に選択して実施することができるとともに、合掌留めボタンと前後重ね留めボタンとを一本の糸で取付ける実施形態、あるいは、合掌留めボタンと前後重ね留めボタンとを表裏の取り付け部位を若干ずらして取り付ける実施形態も任意に選択して実施することができる。
なお、請求項２に関する実施例の記載は、上記説明をもって代えるものとする。【００１５】  請求項３の発明の、左右の前身頃の前端部同士を合掌状態に合わせて合掌留めするために用いる、分離と合体が自在な合掌留め具とは、面ファスナー式留め具、ホック式留め具、磁石式留め具、などをいう。
既成のブレザーなどを用いて、該合掌留め具を左右の前身頃前端部の裏側に分離させた状態で、左右に対向させて取り付ける構成となし、左右の合掌留め具を合体させることで、左右の前身頃の前端部同士を合掌状態に合わせて合掌留めし、前方に膨出した通気空間を形成する方法で、既述同様、上着内前方の通気性を良くする上着とすることができる。【００１６】  本発明では、左右の前身頃前端部同士を合掌状態に合わせて留める方法を「合掌留め」と表記し、合掌状態に留めるためのボタンを「合掌留めボタン」と表記した。
また、合掌留めボタンを用いないで「合掌留め」をするための面ファスナー式留め具など、分離と合体が自在な留め具を「合掌留め具」と表記した。
また、前身頃前端部同士を前後に重ねた状態で留める方法を「前後重ね留め」と表記し、その方法を用いて留めるボタンを「前後重ね留めボタン」と表記した。
【実施例１】
【００１７】    以下図面に基づいて実施例を説明する。
図１は、本発明による上着の基本構成の一実施例を示す模式平面図である。
左右に分けて形成された前身頃の前端部に、ボタンホールとボタンを左右又は右左に対向させて設ける上着で、かつ、左右の襟が、胸元にＶ字状部を形成するタイプの上着として、実施例では、左右の襟（１）が、胸元にＶ字状部（２）を形成するよう形成するとともに、右の前身頃の前端部裏側（３）に合掌留めボタン（４）を２個設け、対向する左の前身頃前端部にボタンホール（５）を２箇所設け、２対をそれぞれに対向させた。
上記構成は、前身頃の前端部表側には、ボタンを取り付けない状態である。
上記が、上着内前方の通気性を良くする上着の請求項１の基本構成である。
なお、ボタンホールとボタンの位置関係を左右入れ替えて実施する形態の場合においても、以下に説明する、通気空間と通気口を、通気性を高めて連通させることができる。
図１は、説明の都合上、左右の前身頃の前端部同士間に隙間を設けて描かれている。
【実施例２】
【００１８】    図２は、本発明の上着を合掌留めした一実施例を示す模式平面図である。
実施例２では、実施例１で得た上着の、右の前身頃の前端部裏側（３）に、ボタンを止める糸（Ａ）で取り付けられた合掌留めボタン（４）を、対向する左の前身頃前端部の対向部位に設けたボタンホール（図省略）の裏側から挿入して表側で係止し、左右の前身頃の前端部同士を合掌状態に合わせて合掌留め（６）して、前方に膨出した通気空間（７）を形成した。
前方に膨出した通気空間（７）は、左右の前身頃の前端部同士が合掌状態に合わさった部分の上端部から下端部まで、三角筒状様（Ｂ）に形成された。
同時に、Ｖ字状部を前方に膨出させて通気口（８）が形成された。
上記のようにして、通気空間（７）と通気口（８）を、構造的に通気性を高めて連通させることができた。
【実施例３】
【００１９】    図３は、本発明の上着の合掌留め具を用いた構成を示す模式平面図である。
実施例３では、右の前身頃の前端部表側に前後重ね留めボタン（９）を２個設け、対向する左の前身頃前端部の対向部位にボタンホール（５）を２箇所設け、２対をそれぞれ対向させた上着の、左右の襟（１）が、胸元にＶ字状部（２）を形成するタイプの上着を用いた。
上記構成は、既成のブレザーなどの構成を利用することができる。
上記構成の上着の、左右の前身頃の前端部裏側（３）に、左右の前身頃前端部同士を合掌状態に合わせて合掌留めするために用いる、分離と合体が自在な合掌留め具（１０）として面ファスナー式留め具を用い、該面ファスナー式留め具を前身頃前端部の裏側（３）に、雄型と雌型に分け、それぞれ左右に分離させた状態で２対を対向させて取り付けた。
上記が、上着内前方の通気性を良くする上着の請求項３の構成例である。
上記構成において、左右の前身頃の前端部裏側（３）に分離させた状態で、対向させて取り付けられている合掌留め具（１０）としての面ファスナー式留め具を合体させることで、左右の前身頃の前端部同士を合掌留めすることができ、前方に膨出した通気空間が形成され、実施例２での説明同様に、通気空間と通気口を、通気性を高めて連通するようにすることができるものである。
なお、合掌留め具（１０）の取り付け部位や取り付け個数は、任意に変更することができる。
図３は、説明の都合上、左右の前身頃の前端部同士間に隙間を設けて描かれている。
【図面の簡単な説明】
【００２０】
【図１】本発明の上着の基本構成の一実施例を示す模式平面図である。
【図２】本発明の上着を合掌留めした一実施例を示す模式平面図である。
【図３】本発明の上着の合掌留め具を用いた構成を示す模式平面図である。
【符号の説明】
【００２１】    １  左右の襟
２  Ｖ字状部
３  前身頃の前端部裏側
４  合掌留めボタン
５  ボタンホール
６  合掌留め
７  （前方に膨出した）通気空間
８  （Ｖ字状部を前方に膨出させた）通気口
９  前後重ね留めボタン
１０  合掌留め具
Ａ  ボタンを止める糸
Ｂ  三角筒状様（通気空間）
【要約】
【課題】本願発明は、上着内前方の通気性を良くする上着の提供を課題とし、前身頃の前端部裏側に取り付けた合掌留めボタンを、対向部位に設けたボタンホールの裏側から挿入して表側で係止する方法で、左右の前身頃の前端部同士を合掌状態に合わせて留め、前方に膨出した通気空間を形成する方法を用いて課題を解決しようとするものである。
【解決手段】上記課題を解決するため、本発明の上着内前方の通気性を良くする上着は、左右に分けて形成された前身頃の前端部に、ボタンホールとボタンを、左右又は右左に対向させて設ける上着で、かつ、左右の襟が、胸元にＶ字状部を形成するタイプの上着であって、前記ボタンホールの対向部位となる前身頃の前端部裏側に合掌留めボタンを取り付け、該合掌留めボタンを、前記ボタンホールの裏側から挿入して表側で係止する方法で、左右の前身頃の前端部同士を合掌状態に合わせて合掌留めし、前方に膨出した通気空間を形成するとともに、前記Ｖ字状部を前方に膨出させて通気口となし、前記通気空間と該通気口を、通気性を高めて連通するように図る。
また、請求項２に記載する本発明の上着内前方の通気性を良くする上着は、請求項１記載の構成において、上記合掌留めボタンを取り付けた部位の表側に、前後重ね留めボタンが取り付けてあり、該合掌留めボタンと該前後重ね留めボタンとが、対向部位に設けられたボタンホールを、合掌留め用と前後重ね留め用とに共用するように構成したことを特徴とする。
また、請求項３に記載する本発明の上着内前方の通気性を良くする上着は、請求項１記載の構成において、左右の前身頃の前端部同士を合掌状態に合わせて合掌留めするために用いる、分離と合体が自在な合掌留め具を、左右の前身頃前端部の裏側に分離させた状態で、左右に対向させて取り付けたことを特徴とする。
【選択図】図２【図１】
0005926438.tif 000002
【図２】
0005926438.tif 000003
【図３】
0005926438.tif 000004